(57)【要約】【課題】人の手を借りずに、リラックスした状態で、膝に負担を掛けることなく指圧を受けることができる膝裏押圧器を提供する。【解決手段】人体の膝の形状に適合する形状に形成され、膝に巻き付けられる帯状体（１０）と、帯状体の内側に設けられ、流体の供給および排出により膨張および収縮が行なわれる袋部（１６）と、帯状体の内側に向けて突設され、帯状体（１０）の巻き付け時に袋部（１６）の膨張により膝裏の膝窩動脈を押圧する突起部（１５）とが具備されてなる。【選択図】図１
2013063115.tif 000002
【特許請求の範囲】
【請求項１】
人体の膝に適合する形状に形成され、膝に巻き付けられる帯状体と、膝に巻き付けられるとき前記帯状体の内側に設けられ、流体の供給および排出により膨張および収縮が行なわれる袋部と、前記帯状体の内側に向けて突設され、前記帯状体の巻き付け時に前記袋部の膨張により膝窩動脈を押圧する突起部と、を具備したことを特徴とする膝裏押圧器。
【請求項２】
前記袋部は、エアーバックであり、前記エアーバックへの空気の供給および前記エアーバックからの空気の排気を制御する制御手段が設けられたことを特徴とする請求項１に記載の膝裏押圧器。
【請求項３】
前記制御手段は、前記突起部が膝窩動脈を押圧する押圧力、押圧時間および押圧回数に関する所定のデータを格納したメモリ部を有することを特徴とする請求項１または２に記載の膝裏押圧器。
【請求項４】
前記帯状体の両端部には、面ファスナーが設けられ、前記帯状体の巻き付け後、前記帯状体の両端部が結合されることを特徴とする請求項１ないし３のいずれかに記載の膝裏押圧器。
【発明の詳細な説明】
【技術分野】
【０００１】
本発明は、血液循環を促進し、肩こり、不眠や疲労等を軽減する指圧効果を得るための膝裏押圧器に関する。
【背景技術】
【０００２】
膝裏のツボに突起の先端部を宛がって密着させて正座することによって該ツボの経絡を押圧刺激する膝裏ツボ経絡押圧器が開発されている（特許文献１参照）。これは突起の先端部分が膝裏のくぼみにすっぽりはまるように膝を折り曲げて宛がって膝裏のツボ経絡を押圧刺激する押圧器であるが、これは、膝裏ツボ経絡を押圧するものであり、単なる生ゴムの固定バンドによる固定であり押圧箇所が適切に定まらない欠点があった。
【０００３】
一方、疲労回復、肩こり、不眠や手足の冷え等の対処方法として、膝裏の膝窩動脈を指圧する、所謂膝裏健康法が知られている。これは、体表を温めるか経脈・経路への温熱刺激による効果によって疲労回復効果を高める温熱治療器、温灸治療器等による健康法と違って、下腿動脈を用いて動脈圧迫刺激により体温上昇による疲労回復効果のみならず、排泄効果、睡眠効果等脳循環への効果があることが知られている。
この膝裏健康法を１人で行なう場合は、片方の膝を真っすぐ伸ばした後、膝窩に指を当て膝窩動脈の拍動を探し、膝窩動脈の位置を見つけ、膝窩動脈を８本の指で所定時間強く押圧し、手を急に離す。この動作を数回繰り返す。（非特許文献１参照）
【０００４】
膝裏健康法を２人１組で行なう場合は、先ず、楽な姿勢でうつ伏せになる。しかる後、両手の親指を膝裏に当てて膝窩動脈の拍動を探し、膝窩動脈の位置を見つける。そこに、両手の親指を置き、体重を掛けるようにして、膝窩動脈を真上から所定時間押圧し、急に手を離す。この動作を数回繰り返す。（非特許文献２参照）
【先行技術文献】
【特許文献】
【０００５】
【特許文献１】特開２００１−３１４４８２号公報
【非特許文献】
【０００６】
【非特許文献１】入間川清子，「血めぐりがみるみるよくなる１００のコツ」，株式会社主婦の友社，平成２０年６月３０日，ｐ．８９〜９２
【非特許文献２】入間川清子著，「ひざ裏健康法」，株式会社扶桑社，１９９６年６月３０日，ｐ．７８〜９３
【発明の概要】
【発明が解決しようとする課題】
【０００７】
しかしながら、従来の膝裏健康法を１人で行なう場合は、指圧効果は得られるものの、自らの手で指圧を行なうため、自分自身が体を休め、リラックスしながらの指圧が難しいという事情がある。
【０００８】
また、他人の手を借りて行なう場合は、自らは体を休めたリラックスした状態での指圧が可能となるが、他人の手を借りなければならないので、自分が必要のときに指圧を受けられず、他人に負担を掛けてしまう。また、うつ伏せの状態で、膝が押圧されるので、膝のお皿（膝蓋骨）を圧迫し、痛めるという事情がある。
【０００９】
本発明は、上述した事情に鑑みてなされたものであり、その目的は、膝に負担を掛けることなく膝裏の膝窩動脈を押圧することができる膝裏押圧器を提供することにある。
【課題を解決するための手段】
【００１０】
上記目的を達成するため、本発明に係る膝裏押圧器は、人体の膝に適合する形状に形成され、前記膝に巻き付けられる帯状体（１０）と、膝に巻き付けられるとき前記帯状体の内側に設けられ、流体の供給および排出により膨張および収縮が行なわれる袋部（１６）と、前記帯状体の内側に向けて突設され、前記帯状体（１０）の巻き付け時に前記袋部の膨張により膝窩動脈を押圧する突起部（１５）と、を具備したことを特徴とする。
【００１１】
好ましい態様としては、前記袋部（１６）は、エアーバックであり、前記エアーバック（１６）への空気の供給および前記エアーバックからの空気の排気を制御する制御手段（５１）が設けられたことが好ましい。これにより、エアーバックに対する空気の給排気が制御され、突起部による膝窩動脈の押圧力、押圧時間および押圧回数等が制御される。
【００１２】
上記態様では、前記制御手段（５１）は、前記突起部（１５）が膝窩動脈を押圧する押圧力、押圧時間および押圧回数に関する所定のデータを格納したメモリ部（５１ｂ）を有することが好ましい。これにより、膝窩動脈は、所定の圧力、時間および回数で押圧され、人の手を借りずに、リラックスした状態で、膝に負担を掛けることなく膝裏の膝窩動脈を押圧することができる。
【００１３】
また、上記態様では、前記帯状体（１０）の両端部には、面ファスナー（１７）が設けられ、前記帯状体の巻き付け後、前記帯状体の両端部が結合されることが好ましい。これにより、帯状体は、膝に容易かつ確実に固定される。
【発明の効果】
【００１４】
本発明の膝裏押圧器によれば、帯状体が人の膝に適合する形状に形成され、その内側に袋部が設けられ、該袋部内への流体の供給および該袋部内からの流体の排出により膨張および収縮が行なわれると、帯状体の内側に向けて突設された突起部が袋部の膨張により膝裏の膝窩動脈を押圧し、袋部の収縮によって押圧が緩められるので、膝に負担を掛けることなく、膝窩動脈を押圧することができる。
【図面の簡単な説明】
【００１５】
【図１】本発明の一実施例に係る手動式膝裏押圧器の平面図である。
【図２】図１に示す膝裏押圧器のＡ−Ａ断面図である。
【図３】本発明の他の実施例に係る自動式膝裏押圧器の斜視図である。
【図４】図３の膝裏押圧器の制御系を示すブロック図である。
【図５】図３の膝裏押圧器を用いた指圧動作を説明するフローチャートである。
【図６】図３に示す膝裏押圧器の突起部の押圧力と時間の特性図である。
【発明を実施するための形態】
【００１６】
以下、本発明の膝裏押圧器に係る一実施例を図面に基づいて詳細に説明する。以下の実施例において同一部材については同一の符号を付し、その重複する説明は省略する。
【実施例１】
【００１７】
図１は、本発明の実施例１に係る膝裏押圧器の平面図を示す。図１に示す膝裏押圧器１は、手動式であり、人体の膝に巻き付けられる帯状体１０と帯状体１０を加圧する加圧ゴム球２０から構成されている。帯状体１０は、膝窩の形状および大きさに適合するベース１１を有し、このベース１１の両側には、バンド１２、１３が連結されている。本実施例において、帯状体１０はポリエステル製であり、加圧ゴム球２０はポリ塩化ビニル製である。
【００１８】
ベース１１の内面（装着したとき脚に向く面）上部には、矩形状の台座１４が貼着されている。そして、この台座１４上には、図２にその断面図を示すように、円柱形の突起部１５が突設され、突起部１５の先端部は、膝窩下の膝窩動脈を押圧するのに適宜な大きさの球形状に形成されている。好適には、ゴルフボールの形状および大きさである。
【００１９】
突起部１５は、ベース１１を膝窩に宛がったとき、膝窩動脈上に位置するように設けられており、突起部１５が膝窩動脈に容易に位置決めされるようになっている。突起部１５は、膝窩動脈の押圧時に心地良さを感じるように、適度に軟質な硬度の硬質ゴム等の弾性部材により形成することができる。
【００２０】
バンド１２の内側には、弾力性および伸縮性を有するエアーバック（「袋部」に相当する）１６が設けられている。このエアーバック１６は、排気弁（図示略す）を有する加圧ゴム球２０にエアー管３０によって接続されている。加圧ゴム球２０は、手動操作によりエアーバック１６に対する空気の給排気を行ない、エアーバック１６の膨張および収縮を行なうものである。
【００２１】
バンド１２、１３の先端部には、面ファスナー１７、１８がそれぞれ設けられ、帯状体１０を膝に巻き付けた際に、面ファスナー１７と１８とが結合され、帯状体１０が膝に容易かつ確実に巻き付け固定されるようになっている。
【実施例２】
【００２２】
図３は、本発明の実施例２に係る膝裏押圧器の斜視図を示し、ヒトが左脚の膝部（膝裏）に装着しているところを示す。
図３において、膝裏押圧器２は、自動式であり、膝６０に巻き付けされる帯状体４０および駆動ボックス５０からなる。帯状体４０は、そのベース１１（図１参照）の内面に巻き付け時の内部圧力を検出することができる圧力センサー（図示略す）を有している。その他の構成は、実施例１の帯状体１０と同一なので、その説明を割愛する。
【００２３】
図４は、実施例２の膝裏押圧器の制御系を示すブロック図である。駆動ボックス５０内には、図４に示すように、制御手段５１、操作部５２、エアーバック１６を膨張させるための空気を供給するエアーポンプ５４、空気の給排気を制御する電磁弁５５、および突起部１５（図１参照）の押圧時間を計測するタイマー５６や押圧回数をカウントするカウンター５７等が設けられている。
【００２４】
制御手段５１は、種々のプログラムを有し、このプログラムによって様々な数値計算や情報処理、動作のタイミング等を制御する処理部５１ａと、突起部１５が膝窩動脈を押圧する押圧力、押圧時間および押圧回数等に関する所定のデータを格納したメモリ部５１ｂとを有している。処理部５１ａには、上述した圧力センサー５３からの信号が入り、この信号に基づいて後述するように押圧動作が制御される。
【００２５】
図３に戻って、エアーポンプ５４と帯状体４０のエアーバック（図示略す）はエアー管７０によって接続され、駆動ボックス５０内にある処理部（図示略す）と帯状体４０の圧力センサー（図示略す）はリード線８０によって接続されている。また、駆動ボックス５０の操作部（図示略す）は、各種操作スイッチを有している。
【実施例３】
【００２６】
次に、かかる構成の膝裏押圧器２を用いた押圧動作を図５により説明する。
先ず、帯状体４０のベース１１を膝窩に宛がう。これにより、該ベース１１の内側に突設された突起部１５が膝窩動脈上に自動的に位置合わせされる(ステップＳ１)。その後、帯状体４０を膝に巻き付け、膝のお皿の下で、面ファスナー１７と１８とを相互に結合すると、帯状体４０が膝に巻き付け固定される(ステップＳ２)。
【００２７】
次に、エアーポンプ５４が作動し、空気がエアーバック１６に供給されると、エアーバック１６が膨張し、突起部１５に押圧力が付与される(ステップＳ３)。このとき、当該押圧力は、圧力センサー５３により検出される。
【００２８】
処理部５１ａは、圧力センサー５３による検出結果が、メモリ部５１ｂに格納された所定の押圧力であるか否かを判断する。所定の押圧力でなければ、ステップＳ３に戻り、所定の押圧力であれば、次のステップＳ５に進む(ステップＳ４)。
【００２９】
ここで、所定の押圧力は、エアーポンプ５４の出力で調節される。たとえば、突起部１５の膝窩動脈への押圧力を弱くするため、エアーポンプ５４の出力を弱く設定すると、エアーバック１６が膨らむまでに時間が掛かり、エアーバック１６の膨らみ開始から所定の押圧力が膝窩動脈に加わるまでにタイムラグが生じ、円滑な押圧ができないことがある。
【００３０】
そこで、突起部１５の押圧力を小さく設定した場合であっても、エアーバック１６の膨張開始からの所定時間は、エアーポンプ５４の出力を大きくし、途中から設定したポンプ出力で、エアーバック１６を膨張させることにより、タイムラグを小さくできる。
【００３１】
次に、ステップＳ５において、突起部１５が膝窩動脈を押圧し、このときの押圧時間がタイマー５６により計測される。ステップＳ６において、処理部５１ａは、カウント結果が所定時間（たとえば３秒間）でないと判断すると、ステップＳ５に戻る。また、所定の押圧時間であれば、空気を急排気し、エアーバック１６を収縮させ(ステップＳ７)、膝窩動脈の押圧を解除する (ステップＳ８)。
【００３２】
上述した突起部１５による膝窩動脈の押圧および押圧解除が数回繰り返され、カウンター５７によるカウントが所定回数に達していないと判断されたら、ステップＳ３に戻り、所定回数に達したと判断されたら（ステップＳ９）、全行程が終了する。
【００３３】
図６は、かかる指圧動作時の突起部１５の押圧力と時間の特性図を示す。即ち、突起部１５の押圧力は、エアーバック１６の膨張に伴って、徐々に上昇し、５秒間で所定の押圧力（たとえば、２０〜２５Kgw）に達すると、その圧力が所定時間（たとえば、３秒間）保持され、空気の急排気によるエアーバック１６の収縮により急激に０Kgwに下降する。そして、このような一連の動作は、５秒間の間隔を置いて所定回数（たとえば、３回）繰り返される。
【００３４】
このように、本発明では、膝窩動脈の押圧が、膝裏押圧器１、２を用いて行われるので、膝窩動脈は、人の手を借りずに、リラックスした状態で、膝に負担を掛けることなく押圧され、たとえ、非力な高齢者や女性、指圧の未経験者であっても、一定の指圧効果を期待することができる。
また、膝裏押圧器２において、制御手段５１は、最適な圧力、時間および回数で膝窩動脈を押圧するように制御するので、より効果的な指圧が行なわれる。
【００３５】
本発明に係る膝裏押圧器は、上述の実施例に限定されるものではなく、本発明の要旨を逸脱することなく、種々の構成を採り得る。
【００３６】
たとえば、上述の実施例では、突起部１５は、硬質ゴム等の弾性部材により形成されたが、突起部１５の表面のみを、適度に軟質な硬度のゴム材により形成してもよい。また、突起部１５は、木製、金属製または合成樹脂製の円錐形に形成しても構わない。
【産業上の利用可能性】
【００３７】
本発明に係る膝裏押圧器は、被施療者が膝窩動脈の指圧を受けることができる指圧器として有用である。
【符号の説明】
【００３８】
１、２    膝裏押圧器
１０、４０  帯状体
１１      ベース
１２、１３  バンド
１４      台座
１５      突起部
１６      エアーバック（袋部）
１７、１８  面ファスナー
２０      加圧ゴム球
３０、７０  エアー管
５０      駆動ボックス
５１      制御手段
５１ａ    処理部
５１ｂ    メモリ部
８０      リード線
【図１】
2013063115.tif 000003
【図２】
2013063115.tif 000004
【図３】
2013063115.tif 000005
【図４】
2013063115.tif 000006
【図５】
2013063115.tif 000007
【図６】
2013063115.tif 000008